(57)【要約】【課題】上部装飾部と下部装飾部へ分配された光ファイバーの伝導光の強さを一定の明るさに保つことができ、かつ装飾体の使用後、箱等の収納体に保存する際、上部と下部に分離し収納することができる光ファイバー集束部の構造の提供。【解決手段】本発明の光ファイバー集束部の構造は、上部装飾部６と下部装飾部７とを分離可能に接続した装飾体に設置される光ファイバー集束部の構造において、上部を装飾する光ファイバー集束部３と下部を修飾する光ファイバー集束部４を共に合わせてＬＥＤ光源と、回転可能なカラーフィルターを内蔵した装飾用ＬＥＤ光源装置Ａの容器１に嵌合する。なお、この容器１は、内蔵し得るカラーフィルターが径方向に該容器１をはみ出した部分を覆う構造からなる。【選択図】    図１
2012128964.tif 000002
【特許請求の範囲】
【請求項１】
上部装飾部と下部装飾部とを分離可能に接続した装飾体に設置される光ファイバー集束部の構造において、上部を装飾する光ファイバー集束部と下部を修飾する光ファイバー集束部を共に合わせてＬＥＤ光源と回転可能なカラーフィルターを内蔵した装飾用ＬＥＤ光源装置の蓋の嵌合部に対向部が密接して嵌合することができることを特徴とする光ファイバー集束部の構造。
【請求項２】
前記光ファイバー集束部同士の対向面が相互に密接していることを特徴とする請求項１に記載の光ファイバー集束端部の構造。
【請求項３】
前記光ファイバー集束部の形状が断面半円形である筒状体からなることを特徴とする請求項１又は請求項２に記載の光ファイバー集束端部の構造。
【請求項４】
前記の各光ファイバー集束部を合わせた断面形状は、円、楕円又は多角形からなることを特徴とする請求項１乃至請求項３のいずれかに記載の光ファイバー集束端部の構造。
【請求項５】
前記装飾用ＬＥＤ光源装置の容器は、内蔵し得るカラーフィルターが径方向に該容器をはみ出した部分のみを覆う構造であることを特徴とする請求項１乃至請求項４のいずれかに記載の光ファイバー集束端部の構造。
【発明の詳細な説明】
【技術分野】
【０００１】
本発明は、クリスマスツリー等の装飾体に使用する光ファイバー集束部の構造に関し、装飾用ＬＥＤ光源装置をクリスマスツリーの主幹端部のみならずクリスマスツリーの途中に配置することができる小型化された装飾用ＬＥＤ光源装置に使用する光ファイバー集束部に関するものである。
【背景技術】
【０００２】
従来、クリスマスツリーは、ＬＥＤ光源、回転可能に設置されたカラーフィルターを内蔵した支持容器に立設されており、ＬＥＤ光源の光は、支持容器に立設された主幹の端部に設けられた光ファイバー集束部の端面からＬＥＤ光源等を介して入光し、上部の幹や各枝に設けられた光ファイバーの先端からカラーフィルターの各種の色が放光され、装飾効果を発揮する。このようなクリスマスツリーは、本特許出願人が出願したクリスマスツリーに係る発明において、光ファイバーの端部に少なくとも一色又は多色に発光するＬＥＤが複数個配置され、一部重ね合わせて色の合成を可能としたＬＥＤ光源を有する光ファイバー装飾装置及びこれを使用したものが公開され、かつ特許となっている。またこの公開公報の図１６には、クリスマスツリーの主幹の途中に光ファイバー集束端部を嵌入したＬＥＤ光源装置が設けられているものの、この光ファイバー集束部は、一部上部修飾体へ配置される光ファイバーと下部修飾体へ配置される光ファイバーとが一体に集束されており、かつ分離不可能に構成されており、クリスマスツリーＶＩＩの途中に設けられた光ファイバー集束部の端部は、ＬＥＤ光源装置３３に設置される構造となっている（例えば、特許文献１参照）。
【特許文献１】特開２００３−３１７５１６号公報（段落０００７、図１６）
【発明の概要】
【発明が解決しようとする課題】
【０００３】
しかしながら、この特許文献１に記載されるクリスマスツリーＶＩＩは、中間部にＬＥＤ光源装置光ファイバー集束部と接続されているが、このクリスマスツリーの上部と下部とに分離して収納することができないので、使用した後、そのまま収納箱等に収納して保存しなければならず、保存時に大きな箱が必要となり、収納スペースを占めるという問題があった。
【０００４】
そこで、本発明者は、上記の問題点について種々検討したところ、このような問題点は、装飾用ＬＥＤ光源装置の嵌合部の形状に対応して、かつクリスマスツリー、リース等の上部に配置される光ファイバーと下部に配置される光ファイバーとを完全に分離し、上部の光ファイバー集束部と下部の光ファイバー集束部とを合わせ一体的に嵌合可能な形状とすることにより、光源装置（又は容器）に内蔵されているカラーフィルターを通して入光する光は、上部の光ファイバー集束部を通過して、上部の光ファイバーを伝導しそれらの先端から放光し、また下部の光ファイバー集束部を通過した光は、下部の光ファイバーを伝導しそれらの先端から放光するので、上下のクリスマスツリーに分配された光ファイバーの伝導光の強さを一定の明るさに保つことができ、かつ上下光ファイバーの変化が比較的に一体感があると共に、このようなクリスマスツリーを使用後、箱等に収納保存する際、上部と下部に分離し収納することができるという優れた効果を奏することを見出し、この知見に基づいて本発明は成されたものである。
【０００５】
したがって、本発明が解決しようとする課題は、上部装飾部と下部装飾部へ分配された光ファイバーの伝導光の強さを一定の明るさに保つことができ、かつ装飾体の使用後、箱等の収納体に保存する際、上部と下部に分離して収納することができるという優れた効果を奏する光ファイバー集束部の構造を提供することにある。
【課題を解決するための手段】
【０００６】
本発明の上記課題は、以下に示す各発明により達成される。
（１）上部装飾部と下部装飾部とを分離可能に接続した装飾体に設置される光ファイバー集束部の構造において、上部を装飾する光ファイバー集束部と下部を修飾する光ファイバー集束部を共に合わせてＬＥＤ光源と回転可能なカラーフィルターを内蔵した装飾用ＬＥＤ光源装置の蓋の嵌合部に対向部が密接して嵌合することができることを特徴とする光ファイバー集束部の構造。
（２）前記光ファイバー集束部同士の対向面が相互に密接していることを特徴とする前記第１項に記載の光ファイバー集束部の構造。
（３）前記光ファイバー集束部の形状が断面半円形である筒状体からなることを特徴とする前記第１項又は第２項に記載の光ファイバー集束部の構造。
（４）前記の各光ファイバー集束部を合わせた断面形状は、円、楕円又は多角形からなることを特徴とする前記第１項乃至第３項項３のいずれかに記載の光ファイバー集束部の構造。
（５）前記装飾用ＬＥＤ光源装置の容器は、内蔵し得るカラーフィルターが径方向に該容器をはみ出した部分のみを覆う構造であることを特徴とする前記第１項乃至第４項のいずれかに記載の光ファイバー集束部の構造。
【発明の効果】
【０００７】
前記第１項に記載の光ファイバー集束部の構造は、上部装飾部と下部装飾部とを分離可能に接続した装飾体に設置される光ファイバー集束部の構造において、上部を装飾する光ファイバー集束部と下部を修飾する光ファイバー集束部を共に合わせてＬＥＤ光源と回転可能なカラーフィルターを内蔵した装飾用ＬＥＤ光源装置の蓋の嵌合部に対向部が密接して嵌合することができることにより、上部装飾部と下部装飾部へ分配された光ファイバーの伝導光の強さを一定の明るさに保つことができ、また装飾体を収納保存する際、収納容器をコンパクト化することができるという優れた効果を奏するものである。前記第２項に記載の発明は、前記第１項に記載の光ファイバー集束部の構造において、前記光ファイバー集束部同士の対向面が相互に密接していることにより、接触面に対する密着性に優れている点で、安定した嵌合が容易にできるばかりでなく、カラーフィルターを通して入光する光が集束部の対向面から漏れることがないという優れた効果を奏するものである。前記第３項に記載の発明は、前記第１項又は第２項に記載の光ファイバー集束部において、前記光ファイバー集束部の形状が断面半円形である筒状体からなることにより、装飾用ＬＥＤ光源装置の蓋の嵌合部が断面円形の筒状体である場合、上、下の光ファイバー集束部の対向面を合わせて該筒状体に容易に嵌合することができるばかりでなく対向面からの光の漏えいがないという優れた効果を奏するものである。
【０００８】
前記第４項に記載の発明は、前記第１項乃至第３項のいずれかに記載の光ファイバー集束部において、前記の各光ファイバー集束部を合わせた断面形状は、円、楕円又は多角形からなることにより、装飾体に設置される容器の嵌合部の形状に合わせてその形状を容易に選択して使用することができるという優れた効果を奏するものできる。前記第５項に記載の発明は、前記第１項乃至第４項のいずれかに記載の光ファイバー集束部において、前記装飾用ＬＥＤ光源装置の容器は、内蔵し得るカラーフィルターが径方向に該容器をはみ出した部分のみを覆う構造であることにより、容器が小型化されて装飾体のいずれかの場所に簡単に設置することができるという優れた効果を奏するものである。
【図面の簡単な説明】
【０００９】
【図１】本発明に用いられる装飾体が分離された状態を示す断面略図である。
【図２】本発明に用いられる装飾体の上部と下部を接続したところを示す断面略図である。
【図３】上、下の光ファイバー集束部の接触面を併せて集束部端からみたところを示す断面略図である。
【図４】上、下の光ファイバー集束部を分離したところを示す断面略図である。
【図５】装飾用ＬＥＤ光源装置の容器を示す断面略図である。
【発明を実施するための形態】
【００１０】
以下に、本発明の実施の形態について図面を用いて説明するが、これは一例であってこれに限定されるものではない。
【００１１】
本発明の光ファイバー集束部の構造は、上部装飾部と下部装飾部とを分離可能に接続した装飾体に設置される光ファイバー集束部の構造において、上部を装飾する光ファイバー集束部と下部を修飾する光ファイバー集束部を共に合わせてＬＥＤ光源と回転可能なカラーフィルターを内蔵した装飾用ＬＥＤ光源装置の蓋の嵌合部に対向部が密接して嵌合することができることを特徴とするものである。以下、装飾体が、クリスマスツリーである場合について、説明するが、本発明は、これに限定されないことは言うまでもない。図１乃至図４において、上部装飾部として、クリスマスツリーの上部６と下部装飾部として、クリスマスツリーの下部７とが、接続部（１１ａ及び１１ｂ）とで物理的に接続されている。例えば、クリスマスツリー６の下底には、光ファイバー集束部３を有し、該光ファイバー集束部３の下面に棒状体１１ａを設け、またクリスマスツリー７の光ファイバー集束部４の天井部には接続孔１１ｂが設けられており、この天井面に形成した接続孔１１ｂに挿入して接続するか又はこの逆の形態で光ファイバー集束部３の下面に接続孔１１ｂを設け、また光ファイバー集束部４の天井部に棒状体１１ａを設けて、両者を接続することができる（図２参照）。また上部のクリスマスツリー６の接続部１１ａの側面には、上部の光ファイバー集束部３を有し、この集束部３には多数の光ファイバー５が集束されて配置されている。この他端の光ファイバー５はクリスマスツリーの幹や枝を修飾し、これらの先端から光が放出される。光ファイバー５は、クリスマスツリーの幹や枝の外側に固定してもよいし、またこれらの中を通してもよいことは明らかである。図２では、クリスマスツリー上部６とクリスマスツリー下部７との接続部に光ファイバー集束部３，４を設けているが、クリスマスツリー上部６は、このまま支持台又は支持捧などを取り付けて光ファイバー集束部３に装飾用ＬＥＤ光源装置を接続して光を導入して単独でクリスマスツリーとして使用することができる（図示せず。）。またクリスマスツリー上部６に設けられている光ファイバー集束部３をクリスマスツリー上部６の中に設置し、更にクリスマスツリー下部７に設けられている光ファイバー集束部４をクリスマスツリー下部７の中に設置し、両者に装飾用ＬＥＤ光源装置の接続部に接続して該装飾用ＬＥＤ光源装置からの光を光ファイバー５へ伝導すると共に、更に電気的に接続して両者のＬＥＤ光源を点燈することにより、クリスマスツリー上部６とクリスマスツリー下部７とを同時に又は別々に点燈することができる（図示せず。）。
【００１２】
下部のクリスマスツリー７の接続部１１ｂの側面には下部の光ファイバー集束部４を有し、この集束部４には多数の光ファイバー５が集束されて配置されている。この他端の光ファイバー５もまた同様にクリスマスツリー７を修飾する。上部のクリスマスツリー６の接続部１１ａと下部のクリスマスツリー７の接続部１１ｂとが挿入固定されると、これら集束部３，４は、図３に示されるように、半円系の接触面８，８が対応して接触して断面円形の集束部（筒体９）が形成される。このように上下の光ファイバー集束部３，４を合わせて形成された集束部の筒体９を装飾用ＬＥＤ光源装置Ａの容器本体１の上面に有する開口部２に嵌合する。これにより装飾用ＬＥＤ光源装置Ａから発せられた光は、光ファイバー集束部３、４からクリスマスツリー上部及び該下部に張り巡らされた光ファイバー５の先端又は必要に応じて光ファイバー５の側部から放光することができ、更に発せられた光は、単色のみならず、多色乃至カラー色に彩られた光によって構成される。ここに用いられるＬＥＤ光源としては、特に限定されるものではなく、通常、普通に用いられるＬＥＤ光源や高照度ＬＥＤ光源を適宜選択して用いることができる。
【００１３】
前記の各光ファイバー集束部３，４を合わせた断面形状は、楕円又は多角形からなる。例えば、四角形、六角形、八角形などが好ましいが、これに限定されるものではない。また前記装飾用ＬＥＤ光源装置Ａには、光ファイバーを通じて各種の彩光を性的又は動的に伝導するための部品、即ちカラーフィルター、これを回転させるモーター、光源、特にＬＥＤ光源等が内蔵されている。該装飾用ＬＥＤ光源装置Ａの容器本体１と筒体２は、内蔵し得るカラーフィルターが径方向に該容器をはみ出した部分を覆う構造である。これは、容器本体を小型化するためにカラーフィルターがはみ出した分だけ、カラーフィルターのみを覆うように外方向にカラーフィルターの円周に沿ってフランジ１４を設けたものである。
【産業上の利用可能性】
【００１４】
本発明の光ファイバー集束部の構造は、装飾体、特にクリスマスツリーを分割して収納保存することができるばかりでなく、分割することによりクリスマスツリーの隅々まで光を強くかつ均一に伝導することができるので、いろいろな種類のクリスマスツリーを豪華に作製することができ、装飾品、その他の用途に広く使用される極めて有用な製品である。
【符号の説明】
【００１５】
１  容器本体
２  開口部
３、４  光ファイバー集束部
５  光ファイバー
６  クリスマスツリー上部
７  クリスマスツリー下部
８  半円状筒体の平面接触面
８ａ、８ｂ  接触面
９  筒体
１１  クリスマスツリーの接触面
１１ａ  上部接触面
１１ｂ  下部接触面
１２  支持捧又は木基部
１３  支持部
１４  フランジ
Ａ  ＬＥＤ光源装置
【図１】
2012128964.tif 000003
【図２】
2012128964.tif 000004
【図３】
2012128964.tif 000005
【図４】
2012128964.tif 000006
【図５】
2012128964.tif 000007